(57)【要約】      （修正有）【課題】バッグ本体の容量が減少することを防止しながら、収納された物品の落下を抑制することが可能なバッグに関する。【解決手段】トートバッグ１は、内部への物品の出し入れを行うための開口部が形成されたバッグ本体２と、バッグ本体２に着脱可能であり、バッグ本体２に装着された際に開口を覆う蓋部３とを備えている。バッグ本体２の開口部にあるバッグ側係合部と蓋側係合部をそれぞれ係合させることにより蓋部３がバッグ本体２に装着される。【選択図】図１
2017051231.tif 000002
【特許請求の範囲】
【請求項１】
開口部が形成されたバッグ本体と、
前記バッグ本体に着脱可能であり、前記バッグ本体に装着された際に前記開口部により形成された開口を覆う蓋部と、
を備えたバッグであって、
前記開口部には、第１のバッグ側係合部と、第２のバッグ側係合部と、が設けられており、
前記蓋部には、前記第１のバッグ側係合部と係合可能な第１の蓋側係合部と、前記第２のバッグ側係合部と係合可能な第２の蓋側係合部と、が設けられており、
前記第１のバッグ側係合部と前記第１の蓋側係合部、及び、前記第２のバッグ側係合部と前記第２の蓋側係合部、をそれぞれ係合させることにより、前記開口部に架設されるようにして前記蓋部が前記バッグ本体に装着されることを特徴とするバッグ。
【請求項２】
前記蓋部が前記バッグ本体に装着されていない状態では、前記第１のバッグ側係合部と前記第２のバッグ側係合部も係合可能であることを特徴とする請求項１に記載のバッグ。
【発明の詳細な説明】
【技術分野】
【０００１】
本発明は、トートバッグ等のバッグに関する。
【背景技術】
【０００２】
従来より、上部に開口部が形成され、当該開口部を介して内部へ物品を出し入れすることのできるトートバッグが知られている。（例えば、特許文献１参照）。
【先行技術文献】
【特許文献】
【０００３】
【特許文献１】特開２０１５−１１２２３６号公報
【発明の概要】
【発明が解決しようとする課題】
【０００４】
しかしながら、従来のトートバッグでは、開口部により形成された開口を閉じることのできないものが多く、そのようなトートバッグの場合、収納された物品が落下してしまう可能性がある。
【０００５】
また、仮に、開口を閉じることができたとしても、この場合には、開口部の形状を変化させることとなるため、バッグ本体の容量が減少してしまう。
【０００６】
そこで、本発明は、バッグ本体の容量が減少することを防止しながら、収納された物品が落下することを抑制することが可能なバッグを提供することを目的としている。
【課題を解決するための手段】
【０００７】
上記課題を解決するために、本発明は、開口部が形成されたバッグ本体と、前記バッグ本体に着脱可能であり、前記バッグ本体に装着された際に前記開口部により形成された開口を覆う蓋部と、を備えたバッグであって、前記開口部には、第１のバッグ側係合部と、第２のバッグ側係合部と、が設けられており、前記蓋部には、前記第１のバッグ側係合部と係合可能な第１の蓋側係合部と、前記第２のバッグ側係合部と係合可能な第２の蓋側係合部と、が設けられており、前記第１のバッグ側係合部と前記第１の蓋側係合部、及び、前記第２のバッグ側係合部と前記第２の蓋側係合部、をそれぞれ係合させることにより、前記開口部に架設されるようにして前記蓋部が前記バッグ本体に装着されることを特徴とするバッグを提供している。
【０００８】
このような構成によれば、蓋部をバッグ本体に装着した場合には、開口を覆うだけであって開口部の形状は変化させないので、バッグ本体の容量が減少することを防止しながら、収納された物品が落下することも抑制されている。
【０００９】
一方、蓋部をバッグ本体から取り外した場合には、通常のトートバッグと同様のスマートな形態で使用することが可能となる。
【００１０】
更に、蓋部をバッグ本体に装着した場合には、開口部に架設されるので、蓋部上に簡易的に物品を載置することが可能となる。
【００１１】
また、前記蓋部が前記バッグ本体に装着されていない状態では、前記第１のバッグ側係合部と前記第２のバッグ側係合部も係合可能であることが好ましい。
【００１２】
このような構成によれば、第１のバッグ側係合部と第２のバッグ側係合部は、スマート型のトートバッグとボックス型のトートバッグの両方に対して共通して用いられるので、部品点数を増加させることなく、収納された物品が落下することが抑制されている。
【発明の効果】
【００１３】
本発明のバッグによれば、バッグ本体の容量が減少することを防止しながら、収納された物品が落下することを抑制することが可能となる。
【図面の簡単な説明】
【００１４】
【図１】本発明の実施の形態によるトートバッグに蓋部が装着された際の斜視図
【図２】本発明の実施の形態によるトートバッグから蓋部を取り外した際の上面図
【図３】本発明の実施の形態によるトートバッグを蓋部なしで使用する場合の斜視図
【図４】本発明の実施の形態によるトートバッグに蓋部が装着された際の上面図
【図５】本発明の実施の形態によるトートバッグを車椅子等に掛ける場合の斜視図
【発明を実施するための形態】
【００１５】
以下、本発明のバッグの一実施の形態によるトートバッグ１について、図１−図５を参照して説明する。
【００１６】
図１は、本実施の形態によるトートバッグ１に蓋部３が装着された際の斜視図である。図１に示すように、トートバッグ１は、バッグ本体２と、蓋部３と、肩紐部４と、を備えている。
【００１７】
バッグ本体２は、上面２１と、底面２２と、一対の長側面２３と、一対の短側面２４と、から構成される略直方体形状を有している。
【００１８】
図２は、本実施の形態によるトートバッグ１から蓋部３を取り外した際の上面図である。上面２１は開放されており、図２に示すように、一対の長側面２３の上縁と、一対の短側面２４の上縁と、により開口部２５が形成されている。物品は、開口部２５により形成された開口２６を介してバッグ本体２内に出し入れされる。
【００１９】
図２に示すように、一対の長側面２３の上縁には、第１のバッグ側係合部２７と、第２のバッグ側係合部２８と、が互いに対向するように設けられている。第１のバッグ側係合部２７と、第２のバッグ側係合部２８と、は、互いに係合可能な構成となっており、これらを係合させることにより、開口部２５の形状を変化させ、図３に示すように、開口２６を閉じることができる。この場合には、トートバッグ１は、通常のスマート型のトートバッグと同様の外観を有することとなる。
【００２０】
蓋部３は、バッグ本体２に着脱可能であり、図２及び図４に示すように、開口２６の大部分を覆うことが可能な略長方形状を有している。
【００２１】
蓋部３には、第１の蓋側係合部３１と、第２の蓋側係合部３２とが、互いに対向するように設けられている。第１の蓋側係合部３１及び第２の蓋側係合部３２は、それぞれ、第１のバッグ側係合部２７及び第２のバッグ側係合部２８と係合可能な構成となっており、これらを係合させることにより、蓋部３が開口部２５に架設され、図４に示すように、開口２６の大部分が蓋部３により覆われる。この場合には、トートバッグ１は、通常のスマート型のトートバッグとは異なるボックス型の外観を有することとなる。
【００２２】
なお、本実施の形態では、第１のバッグ側係合部２７、第２のバッグ側係合部２８、第１の蓋側係合部３１、及び、第２の蓋側係合部３２として、ファスナーを採用している。
【００２３】
肩紐部４は、両端部が、それぞれ、バッグ本体２の一対の短側面２４に取り付けられており、長さの調節が可能な構成となっている。
【００２４】
以上説明したように、本実施の形態によるトートバッグ１では、バッグ本体２に対して着脱可能な蓋部３を備えている。
【００２５】
このような構成によれば、蓋部３をバッグ本体２に装着した場合には、開口２６を覆うだけであって開口部２５の形状は変化させないので、バッグ本体２の容量が減少することを防止しながら、収納された物品が落下することも抑制されている。
【００２６】
一方、蓋部３をバッグ本体２から取り外した場合には、図２に示すような通常のトートバッグと同様のスマートな形態で使用することが可能となる。
【００２７】
更に、蓋部３をバッグ本体２に装着した場合には、開口部２５に架設されるので、蓋部３上に簡易的に物品を載置することが可能となる。
【００２８】
例えば、車椅子に乗った要介護者を介護する際には、車椅子を押すだけでなく、タオルや飲み物等を要介護者に頻繁に提供する場合がある。そのような場合には、図５に示すように、肩紐部４を適当な長さに調節した上で車椅子の手押しハンドルに掛け、蓋部３上にタオル等を載置しておけば、要介護者に対する迅速な対応が可能となる。
【００２９】
また、本実施の形態によるトートバッグ１では、蓋部３がバッグ本体２に装着されていない状態では、第１のバッグ側係合部２７と第２のバッグ側係合部２８も係合させることも可能である。
【００３０】
このような構成によれば、第１のバッグ側係合部２７と第２のバッグ側係合部２８は、通常のトートバッグとボックス型のトートバッグの両方に対して共通して用いられるので、部品点数を増加させることなく、収納された物品が落下することが抑制されている。
【００３１】
尚、本発明のバッグは、上述した実施の形態に限定されず、特許請求の範囲に記載した範囲で種々の変形や改良が可能である。
【００３２】
例えば、上記実施の形態では、本発明のバッグとして、トートバッグを例に説明したが、その他のバッグに本発明と同様の構造を採用してもよい。
【００３３】
また、上記実施の形態では、各係合部には、ファスナーを採用したが、ボタン等他の部材を採用してもよい。
【００３４】
また、上記実施の形態では、バッグ本体２は、略直方体形状を有し、蓋部３は、略長方形状を有していたが、これらの形状に限定されるものではない。
【００３５】
また、上記実施の形態では、蓋部３は、開口２６の大部分を覆っていたが、これに限らず、開口２６の全てを覆ってもよいし、半分程度を覆ってもよい。
【００３６】
更に、蓋部３は、第１の蓋側係合部３１と第２の蓋側係合部３２との間の距離が異なるものを複数用意してもよい。例えば、バッグ本体２内への収納量が多い場合には、距離が長めの蓋部３を採用する等が考えられる。
【００３７】
また、蓋部３を取り外した状態で使用する場合には、第１の蓋側係合部３１及び第２の蓋側係合部３２のいずれか一方のみを取り外しても良いし、両方を取り外しても良い。
【００３８】
また、第１のバッグ側係合部２７と第２のバッグ側係合部２８は、必ずしも正確に開口部２５に設けられている必要はなく、開口部２５よりも多少バッグ本体２の内部側や、開口部２５から延出した部分等に設けてもよく、本発明の“開口部”とは、これらも含むものとする。
【符号の説明】
【００３９】
１          トートバッグ
２          バッグ本体
３          蓋部
２          肩紐部
２１      上面
２２      底面
２３      長側面
２４      短側面
２５      開口部
２６      開口
２７      第１のバッグ側係合部
２８      第２のバッグ側係合部
３１      第１の蓋側係合部
３２      第２の蓋側係合部
【図１】
2017051231.tif 000003
【図２】
2017051231.tif 000004
【図３】
2017051231.tif 000005
【図４】
2017051231.tif 000006
【図５】
2017051231.tif 000007